(57)【要約】【課題】給湯だけでなく、暖房運転も可能なヒートポンプ装置を提供すること。【解決手段】圧縮機１１と給湯熱交換器の冷媒側配管１２ａと第１暖房熱交換器の冷媒側配管１３ａと膨張弁１４と室外熱交換器１５とを環状に接続したヒートポンプ回路と、給湯熱交換器の冷媒側配管１２ａ内を流れる冷媒で給湯熱交換器の水側配管１２ｂ内を流れる貯湯タンク１６の水を加熱する貯湯回路と、第１暖房熱交換器の冷媒側配管１３ａ内を流れる冷媒で第１暖房熱交換器の水側配管１３ｂ内を流れる暖房放熱器１８の水を加熱する第１暖房回路と、第２暖房熱交換器の１次側配管２０ａ内を流れる貯湯タンク１６の温水で第２暖房熱交換器の２次側配管２０ｂ内を流れる暖房放熱器１８の水を加熱する第２暖房回路とを備えたことにより、大能力から小能力まで様々な暖房運転が可能となる。【選択図】図１
2006010232.tif 000002
【特許請求の範囲】
【請求項１】
圧縮機と給湯熱交換器の冷媒側配管と第１暖房熱交換器の冷媒側配管と膨張弁と室外熱交換器とを環状に接続したヒートポンプ回路と、前記給湯熱交換器の冷媒側配管内を流れる冷媒で給湯熱交換器の水側配管内を流れる貯湯タンクの水を加熱する貯湯回路と、前記貯湯タンクの温水で暖房放熱器の水を加熱する第２暖房熱交換器と、前記第１暖房熱交換器の冷媒側配管内を流れる冷媒で第１暖房熱交換器の水側配管内を流れる前記暖房放熱器の水を加熱する第１暖房回路と、前記第２暖房熱交換器の１次側配管内を流れる前記貯湯タンクの温水で前記第２暖房熱交換器の２次側配管内を流れる前記暖房放熱器の水を加熱する第２暖房回路とを有するヒートポンプ装置。
【請求項２】
第１暖房熱交換器の水側配管と第２暖房熱交換器の２次側配管とを並列に接続した請求項１に記載のヒートポンプ装置。
【請求項３】
第１暖房熱交換器の水側配管と第２暖房熱交換器の２次側配管とを流れる水流量を制御する暖房流量制御装置を備えた請求項１または２に記載のヒートポンプ装置。
【請求項４】
暖房放熱器は、前記暖房放熱器に室内空気を供給する暖房放熱器ファンを備えた請求項１〜３のいずれか１項に記載のヒートポンプ装置。
【請求項５】
暖房放熱器ファンは、暖房放熱器入口水温と暖房放熱器出口水温との温度差が所定範囲内に収まるようにファン回転数が制御される請求項４に記載のヒートポンプ装置。
【請求項６】
暖房流量制御装置は、貯湯タンクの蓄熱量と、室内空気を設定室内空気温度まで加熱するのに必要な必要室内空気加熱熱量とに応じて、第１暖房熱交換器の水側配管と第２暖房熱交換器の２次側配管とを流れる水流量を制御する請求項３〜５のいずれか１項に記載のヒートポンプ装置。
【請求項７】
貯湯タンクの蓄熱量を、前記貯湯タンク壁面に設置した複数個の温度センサーで検出する請求項６に記載のヒートポンプ装置。
【請求項８】
必要室内空気加熱熱量を、現在の室内空気温度と設定室内空気温度との温度差で検出する請求項６または７に記載のヒートポンプ装置。
【請求項９】
暖房流量制御装置は、貯湯タンクの蓄熱量が所定熱量以上でかつ必要室内空気加熱熱量が所定熱量以上の場合には第１暖房回路と第２暖房回路とで暖房運転を行う請求項１〜８のいずれか１項に記載のヒートポンプ装置。
【請求項１０】
暖房流量制御装置は、貯湯タンクの蓄熱量が所定熱量以上でかつ必要室内空気加熱熱量が所定熱量未満の場合には第１暖房回路を使用せずに第２暖房回路だけで暖房運転を行う請求項１〜９のいずれか１項に記載のヒートポンプ装置。
【請求項１１】
暖房流量制御装置は、貯湯タンクの蓄熱量が所定熱量未満の場合には第２暖房回路を使用せずに第１暖房回路だけで暖房運転を行う請求項１〜１０のいずれか１項に記載のヒートポンプ装置。
【請求項１２】
ヒートポンプ回路は、給湯熱交換器の冷媒側配管をバイパスさせる給湯熱交換器バイパスを備えた請求項１〜１１のいずれか１項に記載のヒートポンプ装置。
【請求項１３】
ヒートポンプ回路は、第１暖房熱交換器の冷媒側配管をバイパスさせる第１暖房熱交換器バイパスを備えた請求項１〜１２のいずれか１項に記載のヒートポンプ装置。
【請求項１４】
ヒートポンプ回路は、第１暖房回路による運転を行う場合には、給湯熱交換器の冷媒側配管をバイパスさせる給湯熱交換器バイパス開くことを特徴とする備えた請求項１２記載のヒートポンプ装置。
【請求項１５】
ヒートポンプ回路は、貯湯回路による運転を行う場合には、第１暖房熱交換器の冷媒側配管をバイパスさせる第１暖房熱交換器バイパスを開くことを特徴とする請求項１３記載のヒートポンプ装置。
【請求項１６】
ヒートポンプ回路は、高圧側の冷媒圧力が臨界圧力以上となる超臨界ヒートポンプサイクルであり、前記臨界圧力以上に昇圧された冷媒により給湯熱交換器の水側配管内の水を加熱する請求項１〜１５のいずれか１項に記載のヒートポンプ装置。
【請求項１７】
使用する冷媒が二酸化炭素であることを特徴とする請求項１６に記載のヒートポンプ装置。
【発明の詳細な説明】
【技術分野】
【０００１】
本発明は、給湯運転だけでなく暖房運転もできる多機能なヒートポンプ装置に関するものである。
【背景技術】
【０００２】
従来、給湯運転だけでなく他の運転（暖房運転）もできる多機能なヒートポンプ給湯機として図３に示すものがある（例えば、特許文献１参照）。図３に示すように、このヒートポンプ給湯機は、貯湯タンクユニット１０１とヒートポンプユニット１０２と温水暖房端末器１０３とから構成されている。ヒートポンプユニット１０２は、圧縮機１０４、凝縮器としての冷媒対水熱交換器１０５、膨張弁１０６、蒸発器１０７を環状に接続してこの順に冷媒が流れる冷媒回路を形成している。また、貯湯タンク１０８底部の水を加熱循環ポンプ１０９で冷媒対水熱交換器１０５に搬送して加熱した後に貯湯タンク１０８上部に戻す貯湯回路を形成している。貯湯タンクユニット１０１は、貯湯タンク１０８上部の湯を暖房熱交換器１１０、暖房一次ポンプ１１１を介して貯湯タンク１０８下部に戻す一次側回路と、温水暖房端末器出口の水を暖房二次ポンプ１１２、暖房熱交換器１１０を介して温水暖房端末器１０３に戻す二次側回路とを備えている。貯湯タンク１０８の湯は、暖房熱交換器１１０において二次側回路内の水を加熱して温水とし、この温水は温水暖房端末器１０３において室内空気と熱交換して部屋を暖房する。
【０００３】
このため、高効率なヒートポンプサイクルで蓄えた貯湯タンク１０８の湯を給湯に利用するだけでなく、貯湯熱を利用した暖房運転が可能となる。
【特許文献１】特開２００４−３６９５８号公報
【発明の開示】
【発明が解決しようとする課題】
【０００４】
しかしながら、前記従来の構成ではヒートポンプユニット１０２により直接室内を暖房することができないため、貯湯タンク１０８に湯がない場合は室内暖房運転ができず、湯が少ない場合には暖房能力が不足するという課題を有していた。
【０００５】
本発明は、前記従来の課題を解決するもので、貯湯タンク内の湯を利用した暖房運転だけでなく、高効率なヒートポンプサイクルによる暖房運転もできる多機能なヒートポンプ装置を提供することを目的とする。
【課題を解決するための手段】
【０００６】
前記従来の課題を解決するために、本発明のヒートポンプ装置は、圧縮機と給湯熱交換器の冷媒側配管と第１暖房熱交換器の冷媒側配管と膨張弁と室外熱交換器とを環状に接続したヒートポンプ回路と、前記給湯熱交換器の冷媒側配管内を流れる冷媒で給湯熱交換器の水側配管内を流れる貯湯タンクの水を加熱する貯湯回路と、前記貯湯タンクの温水で暖房放熱器の水を加熱する第２暖房熱交換器と、前記第１暖房熱交換器の冷媒側配管内を流れる冷媒で第１暖房熱交換器の水側配管内を流れる前記暖房放熱器の水を加熱する第１暖房回路と、前記第２暖房熱交換器の１次側配管内を流れる前記貯湯タンクの温水で前記第２暖房熱交換器の２次側配管内を流れる前記暖房放熱器の水を加熱する第２暖房回路とを備えたものである。
【０００７】
これにより、高効率なヒートポンプサイクルによる暖房運転だけでなく、貯湯タンク内の温水を利用した大能力な暖房運転ができる。
【発明の効果】
【０００８】
ヒートポンプサイクルによる高効率な暖房運転や貯湯タンク内の温水を利用した大能力な暖房運転が可能となり、暖房運転の省エネ、応答性向上を図ることができる。
【発明を実施するための最良の形態】
【０００９】
第１の発明は、圧縮機と給湯熱交換器の冷媒側配管と第１暖房熱交換器の冷媒側配管と膨張弁と室外熱交換器とを環状に接続したヒートポンプ回路と、前記給湯熱交換器の冷媒側配管内を流れる冷媒で給湯熱交換器の水側配管内を流れる貯湯タンクの水を加熱する貯湯回路と、前記貯湯タンクの温水で暖房放熱器の水を加熱する第２暖房熱交換器と、前記第１暖房熱交換器の冷媒側配管内を流れる冷媒で第１暖房熱交換器の水側配管内を流れる前記暖房放熱器の水を加熱する第１暖房回路と、前記第２暖房熱交換器の１次側配管内を流れる前記貯湯タンクの温水で前記第２暖房熱交換器の２次側配管内を流れる前記暖房放熱器の水を加熱する第２暖房回路とを備えたことにより、ヒートポンプサイクルによる高効率な暖房運転や貯湯タンク内の温水を利用した大能力な暖房運転が可能となり、暖房運転の省エネ、応答性向上を図ることができる。
【００１０】
第２の発明は、特に、第１の発明のヒートポンプ装置の第１暖房熱交換器の水側配管と第２暖房熱交換器の２次側配管とを並列に接続したものであり、ヒートポンプサイクルを利用した第１暖房回路の単独運転、貯湯タンク内の温水を利用した第２暖房回路の単独運転、及び第１暖房回路と第２暖房回路の同時運転が可能となり、状況に応じた様々な暖房運転を行うことができる。
【００１１】
第３の発明は、特に、第１または第２のいずれかの発明のヒートポンプ装置の第１暖房熱交換器の水側配管と第２暖房熱交換器の２次側配管とを流れる水流量を制御する暖房流量制御装置を備えたものであり、第１暖房回路と第２暖房回路の運転効率向上を図ることができる。
【００１２】
第４の発明は、特に、第１〜第３のいずれか１つの発明のヒートポンプ装置の暖房放熱器に、室内空気を供給する暖房放熱器ファンを備えたものであり、室内空気と暖房放熱器の温水との熱交換を促進して大能力な暖房運転ができる。
【００１３】
第５の発明は、特に、第４の発明のヒートポンプ装置の暖房放熱器ファンの回転数を、暖房放熱器入口水温と暖房放熱器出口水温との温度差が所定範囲内に収まるように制御するものであり、暖房放熱器の温水と室内空気との熱交換を高効率で行うことができる。
【００１４】
第６の発明は、特に、第３〜第５のいずれか１つの発明のヒートポンプ装置の暖房流量制御装置を、貯湯タンクの蓄熱量と室内空気を設定室内空気温度まで加熱するのに必要な必要室内空気加熱熱量とに応じて水流量を制御するもので、状況に応じた暖房運転を行うことができる。
【００１５】
第７の発明は、特に、第６の発明のヒートポンプ装置の貯湯タンクの蓄熱量を、貯湯タンク壁面に設置した複数個の温度センサーで検出するもので、蓄熱量を比較的低コストで精度良く検出できる。
【００１６】
第８の発明は、特に、第６または第７のいずれか１つの発明のヒートポンプ装置の必要室内空気加熱熱量を、現在の室内空気温度と設定室内空気温度との温度差で検出するもので、必要室内空気加熱熱量を比較的低コストで精度良く検出できる。
【００１７】
第９の発明は、特に、第１〜第８のいずれか１つの発明のヒートポンプ装置の暖房流量制御装置を、貯湯タンクの蓄熱量が所定熱量以上でかつ必要室内空気加熱熱量が所定熱量以上の場合には第１暖房回路と第２暖房回路とで暖房運転を行うようにしたもので、大能力な暖房運転で速やかに室内を暖房することができる。
【００１８】
第１０の発明は、特に、第１〜第９のいずれか１つの発明のヒートポンプ装置の暖房流量制御装置を、貯湯タンクの蓄熱量が所定熱量以上でかつ必要室内空気加熱熱量が所定熱量未満の場合には第１暖房回路を使用せずに第２暖房回路だけで暖房運転を行うようにしたもので、暖房運転の速やかな起動が可能となる。
【００１９】
第１１の発明は、特に、第１〜第１０のいずれか１つの発明のヒートポンプ装置の暖房流量制御装置を、貯湯タンクの蓄熱量が所定熱量未満の場合には第２暖房回路を使用せずに第１暖房回路だけで暖房運転を行うようにしたもので、貯湯タンクの蓄熱量が少ない場合でもヒートポンプサイクルを利用した高効率な暖房運転ができる。
【００２０】
第１２の発明は、特に、第１〜第１１のいずれか１つの発明のヒートポンプ装置のヒートポンプ回路に、給湯熱交換器の冷媒側配管をバイパスさせる給湯熱交換器バイパスを備えたもので、第１暖房回路の運転起動を速やかに行うことができる。
【００２１】
第１３の発明は、特に、第１〜第１２のいずれか１つの発明のヒートポンプ装置のヒートポンプ回路に、第１暖房熱交換器の冷媒側配管をバイパスさせる第１暖房熱交換器バイパスを備えたもので、貯湯回路の運転起動を速やかに行うことができる。
【００２２】
第１４の発明は、第１２の発明のヒートポンプ回路において、第１暖房回路による運転を行う場合には、給湯熱交換器の冷媒側配管をバイパスさせる給湯熱交換器バイパスを開くことを特徴とするもので、暖房放熱器の加熱能力応答性を向上させることができる。
【００２３】
第１５の発明は、第１３の発明のヒートポンプ回路において、貯湯回路による運転を行う場合には、第１暖房熱交換器の冷媒側配管をバイパスさせる第１暖房熱交換器バイパスを開くことを特徴とするもので、貯湯タンクの加熱能力応答性を向上させることができる。
【００２４】
第１６の発明は、特に、第１〜１５のいずれか１つの発明のヒートポンプ装置の冷媒回路を、冷媒の圧力が臨界圧力以上となる超臨界ヒートポンプサイクルとし、前記臨界圧力以上に昇圧された冷媒により給湯熱交換器の水側配管内の水を加熱することにより、前記給湯熱交換器の冷媒側配管内の冷媒は臨界圧力以上に加圧されているので、前記給湯熱交換器の水側配管内の水により熱を奪われて温度低下しても凝縮することがない。従って、前記給湯熱交換器の全域で冷媒と水との間の温度差を形成しやすくなり、高温の湯が得られ、かつ熱交換効率を高くできる。
【００２５】
第１７の発明は、特に、第１６の発明のヒートポンプ装置において、使用する冷媒を二酸化炭素としたものであり、比較的安価でかつ安定な二酸化炭素を冷媒に使用することにより、製品コストを抑えるとともに、信頼性を向上させることができる。また、二酸化炭素はオゾン破壊係数がゼロであり、地球温暖化係数も代替冷媒ＨＦＣ−４０７Ｃの約１７００分の１と非常に小さいため、地球環境に優しい製品を提供できる。
【００２６】
以下、本発明の実施の形態について、図面を参照しながら説明する。なお、この実施の形態によって本発明が限定されるものではない。
【００２７】
（実施の形態１）
図１は、本発明の第１の実施の形態のヒートポンプ装置の構成図である。
【００２８】
図１において、圧縮機１１と給湯熱交換器の冷媒側配管１２ａと第１暖房熱交換器の冷媒側配管１３ａと膨張弁１４と室外熱交換器１５とを環状に接続してヒートポンプ回路を形成している。送風機３４は室外熱交換器１５に室外空気を送る。また、本発明の第１の実施の形態のヒートポンプ装置は、給湯熱交換器の冷媒側配管１２ａ内を流れる冷媒で給湯熱交換器の水側配管１２ｂ内を流れる貯湯タンク１６の水を加熱する貯湯回路と、貯湯タンク１６の温水で暖房放熱器１８の水を加熱する第２暖房熱交換器２０と、第１暖房熱交換器の冷媒側配管１３ａ内を流れる冷媒で第１暖房熱交換器の水側配管１３ｂ内を流れる暖房放熱器１８の水を加熱する第１暖房回路と、第２暖房熱交換器の１次側配管２０ａ内を流れる貯湯タンク１６の温水で第２暖房熱交換器の２次側配管２０ｂ内を流れる暖房放熱器１８の水を加熱する第２暖房回路とを備えている。貯湯回路は、貯湯タンク１６と積層ポンプ１７と給湯熱交換器の水側配管１２ｂとを環状に接続して形成している。第１暖房回路は、暖房放熱器１８と第１暖房ポンプ１９と流量調整弁２３と第１暖房熱交換器の水側配管１３ｂとを環状に接続して形成している。第２暖房回路は、暖房放熱器１８と第１暖房ポンプ１９と流量調整弁２３と第２暖房熱交換器の２次側配管２０ｂとを環状に接続して形成している。
【００２９】
第１暖房熱交換器の水側配管１３ｂと第２暖房熱交換器の２次側配管２０ｂとは並列に接続されており、両者を流れる水流量の配分は、貯湯タンク１６の蓄熱量と室内空気を設定室内空気温度まで加熱するのに必要な必要室内空気加熱熱量とに応じて暖房流量制御装置２２により流量調整弁２３を介して制御される。貯湯タンク１６の蓄熱量は、貯湯タンク１６壁面に設置した複数個の温度センサー（残湯量センサー）２４ａ〜２４ｃで検出し、必要室内空気加熱熱量は、室内空気温度センサー２５で検出した現在の室内空気温度と設定室内空気温度との温度差で検出している。
【００３０】
また、暖房放熱器１８は、室内空気を供給する暖房放熱器ファン２８を備えており、室内空気と暖房放熱器１８の温水との熱交換を促進して大能力な暖房運転ができる。暖房放熱器ファン制御装置３５は、暖房放熱器ファン２８、暖房放熱器入口温度センサー２６及び暖房放熱器出口温度センサー２７と接続されており、暖房放熱器入口温度センサー２６及び暖房放熱器出口温度センサー２７の検出温度に基づいて暖房放熱器ファン２８の回転数を制御する。なお暖房放熱器ファン制御装置３５は暖房流量制御装置２２と一体に形成してもよい。暖房放熱器ファン２８の回転数は、暖房放熱器入口温度センサー２６で検出した暖房放熱器入口水温と暖房放熱器出口温度センサー２７で検出した暖房放熱器出口水温との温度差が所定範囲内に収まるように制御され、暖房放熱器１８の温水と室内空気との熱交換を高効率で行うことができる。
【００３１】
水配管各所には、水の逆流を防止する逆止弁２９ａ〜２９ｃが設置されており、貯湯タンク１６には、給水弁３０、排水弁３１が設置されている。また、カラン等の給湯端末３３の上流部には、貯湯タンク１６の湯と給水とを混合して所定の給湯温度を得るための混合弁３２が備えられている。
【００３２】
以上のように構成されたヒートポンプ装置について、以下その動作、作用を説明する。
【００３３】
暖房運転モードとしては、第１暖房回路（ヒートポンプサイクルによる高効率な運転）単独運転，第２暖房回路（貯湯タンク１６の温水を利用した応答性が早い運転）単独運転，第１暖房回路と第２暖房回路の同時運転（大能力運転）の３種類が可能であり、これらの暖房運転モードは、貯湯タンク１６の蓄熱量と必要室内空気加熱熱量とに応じて暖房流量制御装置２２で切り替えられる。
【００３４】
まず、貯湯タンク１６の蓄熱量が所定熱量以上（例えば、貯湯タンク１６中央部の残湯量センサー２４ｂの検出温度が４５℃以上）でかつ必要室内空気加熱熱量が所定熱量以上（例えば、室内暖房設定温度と室内空気温度との温度差が１０Ｋ以上）の場合には、第１暖房回路と第２暖房回路とで暖房運転を行う。具体的には、暖房流量制御装置２２は、残湯量センサー２４の検出温度があらかじめ定められた所定の温度以上で、かつ室内空気温度センサー２５の検出温度と室内暖房設定温度との温度差があらかじめ定められた所定の温度差以上の場合には、第２暖房ポンプ２１、圧縮機１１を作動させるように制御し、かつ、流量調整弁２３を、暖房放熱器１８の水が第１暖房熱交換器の水側配管１３ｂ及び第２暖房熱交換器の２次側配管２０ｂを流れるように制御して、第１暖房回路と第２暖房回路とで暖房運転を行うように制御する。即ち、必要室内空気加熱熱量が大きい場合（例えば、低温の室内を暖房する場合）には、ヒートポンプサイクルによる高効率な第１暖房回路と貯湯タンク１６の温水を利用した応答性が早い第２暖房回路により大能力な暖房運転で速やかに室内を暖房することができる。
【００３５】
次に、貯湯タンク１６の蓄熱量が所定熱量以上（例えば、貯湯タンク１６中央部の残湯量センサー２４ｂの検出温度が４５℃以上）でかつ必要室内空気加熱熱量が所定熱量未満（例えば、室内暖房設定温度と室内空気温度との温度差が２Ｋ未満）の場合には、第１暖房回路を使用せずに第２暖房回路だけで暖房運転を行う。具体的には、暖房流量制御装置２２は、残湯量センサー２４の検出温度があらかじめ定められた所定の温度以上で、かつ室内空気温度センサー２５の検出温度と室内暖房設定温度との温度差があらかじめ定められた所定の温度差未満の場合には、第２暖房ポンプ２１を作動させるように制御し、かつ、流量調整弁２３を、暖房放熱器１８の水が第２暖房熱交換器の２次側配管２０ｂに流れるように制御して、第２暖房回路のみで暖房運転を行うように制御する。即ち、必要室内空気加熱熱量が小さい場合（例えば、室内の保温の場合）には、応答性が早い第２暖房回路により速やかに室内空気を設定室内温度に加熱することができる。また、かかる場合に、仮に、第１暖房回路を動作させるとすれば、室内暖房設定温度と室内空気温度との温度差が比較的小さいため、ヒートポンプ回路の圧縮機１１等を間欠的に動作させることになり、暖房運転の省エネに反することになるが、本実施の形態のように、第２暖房回路のみで暖房運転を行うとかかる問題を解決することができ、暖房運転の省エネ化を図ることができる。
【００３６】
更に、貯湯タンク１６の蓄熱量が所定熱量未満（例えば、貯湯タンク１６上部の残湯量センサー２４ａの検出温度が４５℃未満）の場合には、第２暖房回路を使用せずに第１暖房回路だけで暖房運転を行う。具体的には、暖房流量制御装置２２は、残湯量センサー２４の検出温度があらかじめ定められた所定の温度未満の場合には、圧縮機１１を作動させるように制御し、かつ、流量調整弁２３を、暖房放熱器１８の水が第１暖房熱交換器の水側配管１３ｂを流れるように制御して、第１暖房回路のみで暖房運転を行うように制御する。即ち、万一、貯湯タンク１６に温水が無い場合でも、応答性では多少劣るものの、ヒートポンプサイクルによる高効率な第１暖房回路の暖房運転を行うことができる。
【００３７】
以上のように、本実施の形態１においては、貯湯タンク１６の蓄熱量や必要室内空気加熱熱量に応じて、高効率なヒートポンプサイクルによる暖房運転や貯湯タンク１６内の温水を利用した大能力な暖房運転が可能となり、暖房運転の省エネ、応答性向上を図ることができる。
【００３８】
なお、貯湯タンク１６の蓄熱量が所定熱量以上（例えば、貯湯タンク１６上部の残湯量センサー２４ａの検出温度が４５℃以上で、かつ、必要室内空気加熱熱量が所定の範囲（例えば、室内暖房設定温度と室内空気温度との温度差が２Ｋ以上１０Ｋ未満）の場合には、第２暖房回路のみで暖房運転を行うように制御する。
【００３９】
次に、暖房放熱器ファン２８の動作について説明する。
【００４０】
暖房放熱器ファン制御装置３５は、暖房放熱器入口温度センサー２６と暖房放熱器出口温度センサー２７との検出温度差が所定範囲の上限値以上になった場合には暖房放熱器ファン２８の回転数を下げるように制御し、また、暖房放熱器入口温度センサー２６と暖房放熱器出口温度センサー２７との検出温度差が所定範囲の下限値未満になった場合には暖房放熱器ファン２８の回転数を上げるように制御する。このように制御することで、暖房放熱器入口温度センサー２６と暖房放熱器出口温度センサー２７との検出温度差が所定範囲内に収まるように制御することができ、暖房放熱器１８の温水と室内空気との熱交換を高効率で行うことができる。
【００４１】
（実施の形態２）
図２は、本発明の第２の実施の形態のヒートポンプ装置の構成図である。図２において、本発明の第１の実施の形態のヒートポンプ装置と同様の構成部分については共通の符号を用い、詳細な説明を省略する。
【００４２】
実施の形態１と異なるのは、図２において、ヒートポンプ回路は、給湯熱交換器の冷媒側配管１２ａをバイパスさせる給湯熱交換器バイパス２０１と、第１暖房熱交換器の冷媒側配管１３ａをバイパスさせる第１暖房熱交換器バイパス２０２とを備えたことである。
【００４３】
以上のように構成されたヒートポンプ装置について、以下その動作、作用を説明する。
【００４４】
まず、第１暖房回路による運転（ヒートポンプサイクルによる暖房運転）を起動する際には、給湯熱交換器バイパス２０１を開く。具体的には、暖房流量制御装置２２が第１暖房回路を作動させる場合の信号を利用して給湯熱交換器バイパス２０１を開く構成とすればよい。これにより、圧縮機１１から吐出した高温高圧冷媒が給湯熱交換器の冷媒側配管１２ａを通らないため、冷媒は給湯熱交換器１２に吸熱されることなく高温高圧状態を保持したまま第１暖房熱交換器の冷媒側配管１３ａで第１暖房熱交換器の水側配管１３ｂ内の水と熱交換して暖房放熱器１８の水を加熱する。従って、暖房放熱器１８の加熱能力応答性を向上させることができる。
【００４５】
また、貯湯回路による運転（ヒートポンプサイクルによる貯湯タンク１６内の水加熱運転）を起動する際には、第１暖房熱交換器バイパス２０２を開く。これにより、給湯熱交換器の冷媒側配管１２ａにおいて給湯熱交換器の水側配管１２ｂ内の水と熱交換した後の冷媒は第１暖房熱交換器の冷媒側配管１３ａを通らないため、冷媒は第１暖房熱交換器１３に吸熱されることなく、第１暖房熱交換器１３の圧力損失による圧力低下も防止できる。従って、貯湯タンク１６の加熱能力応答性を向上させることができる。
【００４６】
以上のように、本実施の形態２においては、給湯熱交換器の冷媒側配管１２ａや第１暖房熱交換器の冷媒側配管１３ａをバイパスさせることにより、冷媒の熱量が給湯熱交換器１２や第１暖房熱交換器１３に無駄に吸熱されることを防止して、暖房運転や貯湯タンク加熱運転の応答性を向上させることができる。
【００４７】
ここで、暖房放熱器１８は、暖房放熱器ファン２８により室内空気と暖房放熱器１８の温水とを熱交換させる形態としたが、これを床暖房パネルとして利用すれば、床暖房用途への展開も可能である。
【００４８】
また、実施の形態１および実施の形態２では、ヒートポンプサイクルを、冷媒の圧力が臨界圧力以上となる超臨界ヒートポンプサイクルとしたが、もちろん一般の臨界圧力以下のヒートポンプサイクルでもよい。またこの場合、冷媒としてはフロンガス、アンモニアなどを用いても良い。
【産業上の利用可能性】
【００４９】
以上のように、本発明にかかるヒートポンプ装置は、給湯運転だけでなく暖房運転の他、風呂加熱運転や浴室乾燥運転等多機能なヒートポンプサイクルに対しての適用が有効である。
【図面の簡単な説明】
【００５０】
【図１】本発明の実施の形態１におけるヒートポンプ装置の構成図
【図２】本発明の実施の形態２におけるヒートポンプ装置の構成図
【図３】従来のヒートポンプ装置の構成図
【符号の説明】
【００５１】
１１  圧縮機
１２  給湯熱交換器
１２ａ  給湯熱交換器の冷媒側配管
１２ｂ  給湯熱交換器の水側配管
１３  第１暖房熱交換器
１３ａ  第１暖房熱交換器の冷媒側配管
１３ｂ  第１暖房熱交換器の水側配管
１４  膨張弁
１５  室外熱交換器
１６  貯湯タンク
１７  積層ポンプ
１８  暖房放熱器
１９  第１暖房ポンプ
２０  第２暖房熱交換器
２０ａ  第２暖房熱交換器の１次側配管
２０ｂ  第２暖房熱交換器の２次側配管
２１  第２暖房ポンプ
２２  暖房流量制御装置
２３  流量調整弁
２４ａ，２４ｂ，２４ｃ  残湯量センサー
２５  室内空気温度センサー
２６  暖房放熱器入口温度センサー
２７  暖房放熱器出口温度センサー
２８  暖房放熱器ファン
２９ａ，２９ｂ，２９ｃ  逆止弁
３０  給水弁
３１  排水弁
３２  混合弁
３３  給湯端末
３４  送風機
３５  暖房放熱器ファン制御装置
２０１  給湯熱交換器バイパス
２０２  第１暖房熱交換器バイパス
【図１】
2006010232.tif 000003
【図２】
2006010232.tif 000004
【図３】
2006010232.tif 000005